(57)【要約】      （修正有）【課題】作業者が脚立等に上らなくても長い支柱を打ち込める支柱打込具を提供する。【解決手段】農業・園芸用の支柱を地面に打ち込むための支柱打込具１であって、長尺の筒体の長手方向の一端（上端）２ａを閉鎖し他端（下端）２ｂを開口して、他端２ｂから一端２ａに向かう長手方向の中途部まで延びるスリットＳを形成する。本体２を被せた支柱の下端を地面に押し当て、本体２を把持して上下動させることにより、閉鎖した上端２ａで支柱の頭部を打ち付けて地面に打ち込むことができる。【選択図】図１
0003231891.tif 000002
【実用新案登録請求の範囲】
【請求項１】
農業・園芸用の支柱を地面に打ち込むための支柱打込具であって、
長尺の筒体の長手方向の一端を閉鎖し他端を開口して、前記他端から前記一端に向かって延びるスリットを形成してなることを特徴とする支柱打込具。
【請求項２】
農業・園芸用の支柱を地面に打ち込むための支柱打込具であって、
長尺の筒体の長手方向の一端を閉鎖し他端を開口して、前記他端から前記一端に向かって延びるスリットを形成してなる本体と、
前記本体に設けられ、少なくとも前記他端付近において前記スリットを開閉可能な開閉体と、を備えることを特徴とする支柱打込具。
【請求項３】
前記本体を成す筒体は、円筒体であり、
前記開閉体は、周方向の一部に切欠を有する概ねＣ字形状に形成され、その内周面が前記本体の外周面と相対回動可能に係合保持されており、前記本体に対して相対回動させられることにより、前記切欠が移動して前記スリットを開閉することを特徴とする請求項２記載の支柱打込具。  
【請求項４】
前記開閉体を前記長手方向の両側から挟むように設けられるガイド体が前記本体に固定されていることを特徴とする請求項３記載の支柱打込具。
【請求項５】
前記開閉体の回動範囲を規制するストッパ機構を備えることを特徴とする請求項４記載の支柱打込具。
【考案の詳細な説明】
【技術分野】
【０００１】
本考案は、農業・園芸用の支柱を地面に打ち込むための支柱打込具に関する。
【背景技術】
【０００２】
従来、農業・園芸用支柱を地面に深く打ち込む場合、支柱の頭部をハンマー等で打ち付けており、長い支柱を打ち込むときは背が届かないため、作業者が脚立等の台に上って作業している。
【考案の開示】
【考案が解決しようとする課題】
【０００３】
しかし、ハンマーを持って脚立を上り下りしたり、支柱を一本立てるごとに脚立を動かしたりするのは、作業者の負担が大きく時間も掛かるという問題がある。
【０００４】
そこで、本考案は、脚立等に上らなくても長い支柱を打ち込める支柱打込具を提供する。
【課題を解決するための手段】
【０００５】
請求項１の考案は、
農業・園芸用の支柱を地面に打ち込むための支柱打込具であって、
長尺の筒体の長手方向の一端を閉鎖し他端を開口して、前記他端から前記一端に向かって延びるスリットを形成してなることを特徴とする支柱打込具
を提供する。
【０００６】
請求項２の考案は、
農業・園芸用の支柱を地面に打ち込むための支柱打込具であって、
長尺の筒体の長手方向の一端を閉鎖し他端を開口して、前記他端から前記一端に向かって延びるスリットを形成してなる本体と、
前記本体に設けられ、少なくとも前記他端付近において前記スリットを開閉可能な開閉体と、を備えることを特徴とする支柱打込具
を提供する。
【０００７】
請求項３の考案は、
前記本体を成す筒体は、円筒体であり、
前記開閉体は、周方向の一部に切欠を有する概ねＣ字形状に形成され、その内周面が前記本体の外周面と相対回動可能に係合保持されており、前記本体に対して相対回動させられることにより、前記切欠が移動して前記スリットを開閉することを特徴とする請求項２記載の支柱打込具
を提供する。
【０００８】
請求項４の考案は、
前記開閉体を前記長手方向の両側から挟むように設けられるガイド体が前記本体に固定されていることを特徴とする請求項３記載の支柱打込具
を提供する。
【０００９】
請求項５の考案は、
前記開閉体の回動範囲を規制するストッパ機構を備えることを特徴とする請求項４記載の支柱打込具
を提供する。
【考案の効果】
【００１０】
本考案の支柱打込具は、筒体（本体）を被せた支柱の下端を地面に押し当てて、筒体を把持し上下動させることにより、閉鎖した本体の一端で支柱が打ち付けられて地面に打ち込まれる。また、打ち込み後に、筒体を持ち上げて支柱をスリットから抜け出させるように側方へずらすことで、支柱打込具を高く持ち上げなくても支柱から容易に離脱させられる。打ち込み中は、開閉体でスリットを閉じておくことにより、支柱が外へはみ出すことがなく安定的に作業できる。
【図面の簡単な説明】
【００１１】
【図１】本考案の支柱打込具を示す図。
【図２】図1のＡ−Ａ断面図（支柱打込具の開閉体とガイド体を示す図）。
【図３】支柱打込具の使用方法を説明する図。
【考案を実施するための形態】
【００１２】
（支柱打込具１）
本考案の支柱打込具１は、図１〜３に示すように、長尺の円筒体の長手方向（上下方向）の一端（上端）２ａを閉鎖し、その反対側の他端（下端）２ｂを開口して、下端２ｂから上端２ａに向かう上下方向の中途部２ｃまで延びるスリットＳを外周面に形成してなる本体２と、本体２の下端２ｂ付近に係合保持されるように設けられて、スリットＳの下端付近を開閉可能な開閉体３と、を備えてなり、農業・園芸用の支柱を地面に打ち込むために用いられる。
【００１３】
支柱打込具１によれば、図３（ａ）に示すように、本体２を被せた支柱Ｐの下端を地面Ｇに押し当て、本体２を把持して上下動させることにより、閉鎖した上端２ａで支柱Ｐの頭部を打ち付けて地面Ｇに打ち込むことができる。打ち込み作業中は、図３（ａ）に示すように、開閉体３でスリットＳの下端付近を閉じておくことにより、支柱Ｐが外へはみ出すことなく安定的に作業することができる。また、打ち込み作業後は、図３（ｂ）に示すように、開閉体３を回動操作してスリットＳを開き、スリットＳの上端Ｓａが支柱Ｐの上端Ｐａよりも高くなるように本体２を持ち上げ、支柱ＰをスリットＳから抜け出させるように側方にずらすことで、支柱Ｐから容易に離脱させることができる。
【００１４】
（本体２）
本体２は、金属製の丸パイプで形成されており、図1に示すように、その上端２ａが蓋２１で閉鎖されている一方、下端２ｂは全面開口されている。蓋２１は、支柱Ｐを地面に打ち込むために十分な強度（厚み）を有する金属製で且つ溶接等で強固に固定されている。本体２の外周面において下端２ｂから上端２ａに向かって上下方向の中途部２ｃまで延びるスリットＳは、支柱Ｐを容易にすり抜けさせられる程度の横幅を有している。また、当然ではあるが、本体２の内径（内断面積）は、余裕をもって支柱Ｐを収容可能な大きさを有している。
【００１５】
（開閉体３）
開閉体３は、内径が本体２の外径よりも僅かに大きく周方向の一部にスリットＳと略同幅の切欠３ａが形成された概ねＣ字形状の金属製プレート体で、図２（ａ）及び（ｂ）に示すようにその内周面が本体２の外周面と相対回動可能に係合している。開閉体３を本体２に対して相対回動させることにより、切欠３ａが周方向に移動し、スリットＳが開いた状態（図２（ａ））と、スリットＳの下端付近が閉じた状態（図２（ｂ））にすることができる。なお、開閉体３は、後述するガイド体４で上下方向の動きが拘束されており、また、本体２への係合及び後述するストッパ機構５で上下方向と直交する横方向の動きが拘束されることにより、本体２から離脱しないように保持される。
【００１６】
（ガイド体４）
上述したガイド体４は、内径が本体２の外径と略同じで且つ外径が開閉体３の外径よりも少し小さく周方向の一部にスリットＳと略同幅の切欠４ａが形成された概ねＣ字形状の金属製プレート体で、図２に示すようにその内周面が本体２の外周面と係合し且つ切欠４ａがスリットＳと同方向に向けられた状態で本体２に溶接等により固定される。ガイド体４は、開閉体３を上下両側から挟むように二枚配置されており、上述したように開閉体３の上下方向の動きを拘束すると共に、開閉体３が本体２に対して回動する際のガイドとして機能する。
【００１７】
（ストッパ機構５）
上述したストッパ機構５は、開閉体３とガイド体４が係合する部分に設けられて、開閉体３の回動範囲を規制する。具体的には、開閉体３の上下両面に金属製のピン３１が立設される一方、各ガイド体４において周方向の約１／４を占めるように円弧状の溝穴４１が形成されており、図２に示すように、これらが係合することにより開閉体３の回動範囲が約９０度の角度範囲に規制されている。ピン３１が溝穴４１の一方の端に当接すれば、図２（ａ）に示すスリット全開状態であり、反対側の端に当接すれば、図２（ｂ）に示すスリット全閉状態であるから、使用者は開閉体３の向きを細かく見なくても確実に開閉操作をすることができる。
【００１８】
（上記実施形態の変形例）
上記実施形態では、スリットＳを本体２の外周面において下端２ｂから上下方向の中途部２ｃまで設けるが、中途部２ｃの位置は、図に示した位置に限定されるものでなく、打ち込む支柱の長さにより変えても良く、また、上端２ｂに達するまで設けることとしても良い。上記実施形態では、開閉体３でスリットＳの下端付近を閉鎖することとしたが、それよりも上方に開閉体３を設けることとしてもよい。更に開閉体３を上下方向に並ぶように複数個設けたり、開閉体３を上下方向に長いスリットを有する円筒状に形成したりして、上下方向の広い範囲に亘ってスリットＳを閉鎖することとしてもよい。また、開閉体３は設けないことにしてもよい。
【００１９】
上記実施形態では、円筒体にスリットＳを形成したが、円筒体以外の筒体を用いることとしてもよい。上記実施形態の開閉体３は、本体２に対して相対回動するものとしたが、これに代えて例えばスリットＳの一側方にヒンジで結合されて、ヒンジを中心に横方向に開閉する扉状やバー状の開閉体としても良い。また、開閉体をホースのように合成樹脂やゴム等の可撓性材料からなる筒状体に筒軸方向全体に亘る切込を形成してなるものとし、これを当該切込がスリットＳと重なるように、或いはスリットＳの近傍に位置するようにして本体２にスリットＳの裏側で固定するように周設し、支柱ＰにスリットＳを通過させるときは切込を広げるように撓ませてスリットＳを開く開閉体としてもよい。その他、本考案はその要旨を変更しない範囲で種々の変更を加えることができる。
【符号の説明】
【００２０】
１    支柱打込具
２    本体
３    開閉体
４    ガイド体
Ｓ    スリット
Ｐ    支柱
【図１】
0003231891.tif 000003
【図２】
0003231891.tif 000004
【図３】
0003231891.tif 000005